(57)【要約】【課題】  従来の自動販売機では、充填する商品を外から運搬する作業に手間がかかり、特に商品が飲料等の重量物であるときには重労働となる。従って、商品の在庫は自動販売機の近辺に備蓄しておくことが好ましい。そして、自動販売機の近辺に商品在庫を備蓄しておけば、その在庫商品を災害発生時等の非常用飲料等として用いることもできる。【解決手段】  マンション１内又はその敷地２内に自動販売機５１・５２を設置するとともに、自動販売機の商品を備蓄するための在庫備蓄スペース１４を確保し、災害等の緊急時には在庫備蓄スペースに備蓄してある商品を、該マンションの入居者に無償で提供し、前記マンションに関する所定条件の入力手段１０１と、入力された条件に基づいて自動販売機及び在庫備蓄スペースの仕様を算出する手段１０２とを備え、備蓄スペースには備蓄されている商品の量を管理する在庫管理手段６２が付設されている。【選択図】  図１
2006031638.tif 000002
【特許請求の範囲】
【請求項１】
ビル内又はその敷地内に自動販売機を設置するとともに、自動販売機の商品を備蓄するための備蓄スペースを確保し、災害等の緊急時には備蓄スペースに備蓄してある商品を、該ビルの入居者に無償で提供することを特徴とする自動販売機システム。
【請求項２】
前記ビルの室数、間取り、入居者タイプ、床面積等といったビルに関する所定条件を入力する手段と、入力された所定条件に基づいて、設置される自動販売機及び備蓄スペースの仕様を算出する手段とを備え、前記備蓄スペースには備蓄されている商品の量を管理する在庫管理手段が付設されていることを特徴とする請求項１に記載の自動販売機システム。
【請求項３】
自動販売機で販売する商品のメーカーと、自動販売機の設置先との間には、該メーカーの取次ぎ店及び代理店が介在し、該取次ぎ店は、代理店から複数の自動販売機の設置先の仲介を受け、一括してメーカーと自動販売機の設置先との間の契約を行うことを特徴とする請求項１又は請求項２に記載の自動販売機システム。
【請求項４】
前記メーカー、取次ぎ店、代理店、及び自動販売機設置先は、ネットワークにて互いに接続された端末装置をそれぞれ有しており、前記代理店から取次ぎ店への自動販売機の設置先の仲介、及び取次ぎ店によるメーカーと自動販売機の設置先との間の契約は、各端末装置によりネットワークを通じて行われることを特徴とする請求項１乃至請求項３の何れかに記載の自動販売機システム。
【請求項５】
前記自動販売機にて販売する商品を、所定量だけビルの入居者へ無償で提供することを特徴とする請求項１乃至請求項４の何れかに記載の自動販売機システム。
【請求項６】
前記備蓄スペースに備蓄してある商品の品質保証期限までの期間が所定の期間より短くなると、備蓄してある商品をビルの入居者に無償で提供することを特徴とする請求項１又は請求項５の何れかに記載の自動販売機システム。
【請求項７】
前記自動販売機の前面パネルのデザインは、設置されるビルの壁面又は敷地に応じて、適宜変更可能であることを特徴とする請求項１乃至請求項６の何れかに記載の自動販売機システム。
【請求項８】
前記ビルの敷地の一部を、該ビルのデベロッパーの所有地とし、該所有地に自動販売機を設置して、該自動販売機の運営を該デベロッパーが行うことを特徴とする請求項１乃至請求項７の何れかに記載の自動販売機システム。
【請求項９】
前記自動販売機での商品の販売による利益の一部を、前記ビルの管理組合又はオーナーの収益に充当することを特徴とする請求項１乃至請求項８の何れかに記載の自動販売機システム。
【請求項１０】
前記自動販売機での商品の販売による利益の一部を、前記ビルの管理組合又はオーナーの収益に充当し、
入居者に無償で提供する商品にかかる費用は、ビルの管理組合又はオーナーに充当された前記収益から拠出することを特徴とする請求項５又は請求項６に記載の自動販売機システム。
【請求項１１】
前記商品は飲料であることを特徴とする請求項１乃至請求項１０の何れかに記載の自動販売機システム。
【発明の詳細な説明】
【技術分野】
【０００１】
本発明は、ビル内又はその敷地内に自動販売機を設置するとともに、自動販売機の商品を備蓄するための備蓄スペースが確保される自動販売機システムに関する。
【背景技術】
【０００２】
近年、飲料等の商品の自動販売機は、歩道脇の屋外に設置されるだけでなく、マンションやオフィスビル等といった各種ビルの入居者の利便性を考慮して、当該ビル内、又はその敷地内に設置されることも多くなってきている。
このようにビル内等に設置された自動販売機への商品の充填は、一般的に、商品メーカーの倉庫等からオペレータが商品をトラックによりビルの近辺まで運搬し、そこからキャリアに乗せ換えて自動販売機の設置場所まで運び込むことで行われている。例えば、特許文献１に記載される如くである。
【特許文献１】特開平５−９４５８１号公報
【発明の開示】
【発明が解決しようとする課題】
【０００３】
前述の如く、自動販売機に充填する商品を、自動販売機が設置されているビル外から運搬する作業は手間がかかり、特に商品が飲料等の重量物であるときには重労働となる。
また、自動販売機内の商品が品切れとなったときには、遠方から商品を運搬してくる必要があるとともに、商品を充填するオペレータは多くの自動販売機を受け持っているために、品切れした商品を迅速に充填することができない。これにより、顧客に不便さを強いることになるとともに、自動販売機設置者の商品の販売機会を失ってしまうことになってしまう。
これらのことより、自動販売機に充填する商品の在庫は、自動販売機の近辺に備蓄しておくことが好ましい。そして、ビル内に設置された自動販売機の近辺に商品在庫を備蓄しておけば、その在庫商品を災害発生時等の非常用飲料等として用いることもでき、ビルの入居者の利便性を向上することができる。
そこで、本発明では、設置された自動販売機の近辺に商品在庫が備蓄される自動販売機システムを提供するものである。
【課題を解決するための手段】
【０００４】
上記課題を解決する自動販売機システムは、以下の特徴を有する。
即ち、請求項１記載の如く、ビル内又はその敷地内に自動販売機を設置するとともに、自動販売機の商品を備蓄するための備蓄スペースを確保し、災害等の緊急時には備蓄スペースに備蓄してある商品を、該ビルの入居者に無償で提供する。
【０００５】
また、請求項２記載の如く、前記ビルの室数、間取り、入居者タイプ、床面積等といったビルに関する所定条件を入力する手段と、入力された所定条件に基づいて、設置される自動販売機及び備蓄スペースの仕様を算出する手段とを備え、前記備蓄スペースには備蓄されている商品の量を管理する在庫管理手段が付設されている。
【０００６】
また、請求項３記載の如く、自動販売機で販売する商品のメーカーと、自動販売機の設置先との間には、該メーカーの取次ぎ店及び代理店が介在し、該取次ぎ店は、代理店から複数の自動販売機の設置先の仲介を受け、一括してメーカーと自動販売機の設置先との間の契約を行う。
【０００７】
また、請求項４記載の如く、前記メーカー、取次ぎ店、代理店、及び自動販売機設置先は、ネットワークにて互いに接続された端末装置をそれぞれ有しており、前記代理店から取次ぎ店への自動販売機の設置先の仲介、及び取次ぎ店によるメーカーと自動販売機の設置先との間の契約は、各端末装置によりネットワークを通じて行われる。
【０００８】
また、請求項５記載の如く、前記自動販売機にて販売する商品を、所定量だけビルの入居者へ無償で提供する。
【０００９】
また、請求項６記載の如く、前記備蓄スペースに備蓄してある商品の品質保証期限までの期間が所定の期間より短くなると、備蓄してある商品をビルの入居者に無償で提供する。
【００１０】
また、請求項７記載の如く、前記自動販売機の前面パネルのデザインは、設置されるビルの壁面又は敷地に応じて、適宜変更可能である。
【００１１】
また、請求項８記載の如く、前記ビルの敷地の一部を、該ビルのデベロッパーの所有地とし、該所有地に自動販売機を設置して、該自動販売機の運営を該デベロッパーが行う。
【００１２】
また、請求項９記載の如く、前記自動販売機での商品の販売による利益の一部を、前記ビルの管理組合又はオーナーの収益に充当する。
【００１３】
また、請求項１０記載の如く、前記自動販売機での商品の販売による利益の一部を、前記ビルの管理組合又はオーナーの収益に充当し、入居者に無償で提供する商品にかかる費用は、ビルの管理組合又はオーナーに充当された前記収益から拠出する。
【００１４】
また、請求項１１記載の如く、前記商品は飲料である。
【発明の効果】
【００１５】
本発明によれば、次のような効果を奏する。
即ち、請求項１記載の如く、ビル内又はその敷地内に自動販売機を設置するとともに、自動販売機の商品を備蓄するための備蓄スペースを確保し、災害等の緊急時には備蓄スペースに備蓄してある商品を、該ビルの入居者に無償で提供するので、
ビルへの入居者の危機管理をサポートしたり、金銭的負担を軽減したり、利便性を向上させたりすることができる。
【００１６】
さらに、請求項２記載の如く、前記ビルの室数、間取り、入居者タイプ、床面積等といったビルに関する所定条件を入力する手段と、入力された所定条件に基づいて、設置される自動販売機及び備蓄スペースの仕様を算出する手段とを備え、前記備蓄スペースには備蓄されている商品の量を管理する在庫管理手段が付設されているので、
ビルに応じて適切な仕様・数の自動販売機を設置したり、備蓄スペースを確保したりすることが可能である。
また、非常時に各室へ商品を配布する場合には、在庫管理手段により、現在の在庫数及びビルの室数や各室の入居人数等に基づいて、各室への配布数量を適切に算出して配布することができる。
【００１７】
さらに、請求項３記載の如く、自動販売機で販売する商品のメーカーと、自動販売機の設置先との間には、該メーカーの取次ぎ店及び代理店が介在し、該取次ぎ店は、代理店から複数の自動販売機の設置先の仲介を受け、一括してメーカーと自動販売機の設置先との間の契約を行うので、
メーカー及び取次ぎ店側は、自分で様々な自動販売機の設置先を見つけ出してくることが不要になり、各設置先は代理店に登録等しておけば、自動販売機の設置依頼が高確率で来ることが期待できる。
また、メーカーと各設置先との間の契約手続き等が簡素化でき、迅速且つ確実な契約を結ぶことができる。
【００１８】
さらに、請求項４記載の如く、前記メーカー、取次ぎ店、代理店、及び自動販売機設置先は、ネットワークにて互いに接続された端末装置をそれぞれ有しており、前記代理店から取次ぎ店への自動販売機の設置先の仲介、及び取次ぎ店によるメーカーと自動販売機の設置先との間の契約は、各端末装置によりネットワークを通じて行われるので、
契約の手続きがさらに確実かつスピーディーに行うことが可能である。
【００１９】
さらに、請求項５記載の如く、前記自動販売機にて販売する商品を、所定量だけビルの入居者へ無償で提供するので、
入居者の利便性を向上するとともに費用負担の軽減を図ることが可能である。
【００２０】
さらに、請求項６記載の如く、前記備蓄スペースに備蓄してある商品の品質保証期限までの期間が所定の期間より短くなると、備蓄してある商品をビルの入居者に無償で提供するので、
商品の在庫を無駄に廃棄などすることなく有効利用することができるとともに、入居者の利便性の向上及び費用負担の軽減を図ることが可能である。
【００２１】
さらに、請求項７記載の如く、前記自動販売機の前面パネルのデザインは、設置されるビルの壁面又は敷地に応じて、適宜変更可能であるので、
自動販売機の外観がビルやその敷地に自然に溶け込み、該ビルや敷地の景観を損うことがない。
【００２２】
さらに、請求項８記載の如く、前記ビルの敷地の一部を、該ビルのデベロッパーの所有地とし、該所有地に自動販売機を設置して、該自動販売機の運営を該デベロッパーが行うので、
該デベロッパーは、自己が取り扱ったビルについて自動販売機の運営業務をも行うことが可能となり、ビジネスチャンスを拡大することができる。
【００２３】
さらに、請求項９記載の如く、前記自動販売機での商品の販売による利益の一部を、前記ビルの管理組合又はオーナーの収益に充当するので、
各入居者の積立金の支払い金額を減少することができ、金銭負担を軽減することが可能である。
【００２４】
さらに、請求項１０記載の如く、前記自動販売機での商品の販売による利益の一部を、前記ビルの管理組合又はオーナーの収益に充当し、入居者に無償で提供する商品にかかる費用は、ビルの管理組合又はオーナーに充当された前記収益から拠出するので、
入居者に費用負担をかけずに商品を提供しつつ、自動販売機の設置者もその費用を負担する必要がなくなる。
【００２５】
さらに、請求項１１記載の如く、前記商品は飲料であるので、
入居者に対して無償提供することは、無駄な廃棄を無くするために特に有効であるし、災害等でライフラインが停止してしまった場合等の非常時には、入居者にとっては非常に有難く喜ばれるものとなる。
【発明を実施するための最良の形態】
【００２６】
次に、本発明を実施するための形態を、添付の図面を用いて説明する。
図１は本発明の自動販売機システムが適用されるマンション及びその敷地を示す平面図、図２は本システムが具備する入力手段、算出手段及び出力手段を示すブロック図、図３は入力手段による入力画面の一例を示す図、図４は出力手段による出力画面の一例を示す図、図５は本システムにおける自動販売機の利益の一部を管理費等の積立金へ充当する仕組みを示す図、図６は本システムにおける在庫商品の居住者への無償配布の仕組みを示す図、図７はマンションの壁面が無模様である場合の自動販売機の前面パネルを示す図、図８はマンションの壁面に模様が付されている場合の自動販売機の前面パネルを示す図、図９はメーカー、取次ぎ店、代理店、及び自動販売機の設置先の関係を示す図、図１０はメーカー、取次ぎ店、代理店、及び自動販売機の設置先の各端末装置がネットワークにより接続されている状態を示す図、図１１は代理店が複数段階にわたって介在したいる場合の、メーカー、取次ぎ店、代理店、及び自動販売機の設置先の関係を示す図である。
【００２７】
本発明の自動販売機システムについて説明する。図１には、ビルの一例としてのマンション１及びその敷地２を示している。
敷地２にはマンション１の入居者のための駐車場２１・２１・・・等が形成されている。
マンション１の１階部分には、ポーチ１１、ロビー１２、及び管理人室１３等が配置されており、エレベータ１５によりロビー１２から上階の居住階へ昇降することが可能となっている。
【００２８】
マンション１のポーチ１１には自動販売機５１が、ロビー１２には自動販売機５２が設置されており、ロビー１２及び管理人室１３に隣接して在庫備蓄スペース１４が設けられている。在庫備蓄スペース１４には、該自動販売機５１・５２で販売する商品の在庫６１が備蓄されている。
自動販売機５１・５２で販売する商品は、本実施例では、例えば清涼飲料水やミネラルウォーターや茶飲料やコーヒー飲料などといった飲料としているが、これに限らず食料品であったり他の物品であったりしてもよい。
【００２９】
マンション１内には２台の自動販売機５１・５２が設置されているが、本自動販売機システムにおいては、設置する自動販売機の大きさ・容量や数等は、次のようにして決定するようにしている。
すなわち、図２に示すように、本システムは、所定条件を入力するための入力手段１０１と、入力された所定条件に基づいて設置する自動販売機の大きさ・容量や数等の仕様を算出する算出手段１０２と、算出手段１０２により算出された各種仕様を出力する出力手段１０３とを備えている。
また、算出手段１０２には、自動販売機５１・５２及び後述する管理会社３３の端末装置３３ａが無線又は有線で接続可能となっている。
【００３０】
入力手段１０１では、図３に示す如くの入力画面に従って、マンション１の床面積や、室（戸）数や、入居タイプ（単身かファミリーか等）や、間取りや、建物が何階建てか等といったような、マンション１に関する所定条件を入力する。
入力手段１０１にこれらの所定条件が入力されると、入力された所定条件に基づいて、設置する自動販売機の大きさ・容量や数等の仕様を算出手段１０２が算出する。
算出された自動販売機の仕様は、図４に示すように、自動販売機の大きさ・容量といった自動販売機タイプや、販売する飲料の種類や、設置数や、設置場所、及び必要とされる商品の備蓄スペースや備蓄在庫数等が、出力手段１０３の表示画面などに表示される。
この出力結果により、マンション１に設置する自動販売機５１・５２の仕様を決定するのである。
【００３１】
このように、マンション１内に自動販売機５１・５２を設置することにより、重量物で持ち運びに不便なミネラルウォーターなどの飲料を、マンション１から離れた場所にあるスーパーマーケットやコンビニエンスストアなどの小売店まで買いに行く必要がなく、２４時間利用することができ、マンション１に入居している入居者にとっては、飲料購入の利便性を向上させることができる。
【００３２】
特に、飲料の買い置きが切れたときや浄水器が突然故障したとき、急に来客があったとき、行楽やアウトドアレジャーに出掛けるとき、及び近所の公園で幼い子どもを遊ばせるときなどには、自動販売機５１・５２により、直ぐに又は手軽に所望の飲料を購入することができ、非常に利便性に優れている。また、夜間に飲料を購入する場合を考えると、マンション１内に自動販売機５１・５２があることで安全に購入することができる。
【００３３】
また、設置する自動販売機５１・５２の仕様や数は、所定条件を入力することで算出手段１０２により自動的に算出されるので、マンション１に応じて適切な仕様・数の自動販売機５１・５２を設置したり、在庫備蓄スペース１４を確保したりすることが可能となっている。
【００３４】
ここで、図５に示すように、一般的に、マンション１などの集合住宅では、各入居者が集まって管理組合３１を構成しており、管理費や維持費の積立金３２の管理等を管理会社３３へ委託する、という管理形態をとっている。
自動販売機５１・５２での商品の販売により、自動販売機５１・５２の設置者（例えば販売する飲料のボトリング会社）には販売利益が出るが、その販売利益の一部が、コミッションとして管理費や維持費の積立金３２に充当される
【００３５】
この販売利益の一部の積立金３２への充当は、例えば、自動販売機５１・５２内で自動的に算出される売上金額に基づいて、前記算出手段１０２により、コミッションとして積立金３２に充当される販売利益の一部の額が算出される。算出された積立金３２に充当する金額は、算出手段１０２から管理会社３３側の端末装置３３ａへ通知されるとともに、設置者側から管理会社３３側への当該金額の振込み手続きが行われる。
なお、自動販売機５１・５２、算出手段１０２、及び管理会社３３の端末装置３３ａは、互いに無線又は有線にて接続されている。
【００３６】
このように、マンション１内に設置した自動販売機５１・５２の販売利益の一部を管理費や維持費の積立金３２、即ち管理組合３１の収益に充当することで、各入居者の積立金３２の支払い金額を減少することができ、金銭負担を軽減することが可能となっている。また、この自動販売機５１・５２の販売利益の一部は、マンション１のオーナーの収益として充当することも可能である。
なお、自動販売機５１・５２は、本実施例ではマンション１内に設置しているが、マンション１のエントランスや、敷地２内における駐車場２１、アプローチ緑地、公開緑地、公園等の他の場所に設置してもよい。また、分譲マンション販売時における販売センター内や販売センター前等に設置してもよい。
【００３７】
図６に示すように、自動販売機５１・５２への飲料の補充は、在庫備蓄スペース１４に備蓄されている在庫６１から行われ、自動販売機５１・５２に補充された商品である飲料は、通常時は各入居者に対して販売される。
また、在庫備蓄スペース１４に備蓄されているミネラルウォーターなどの在庫６１は、大規模な地震や台風などの災害が発生したときや、マンション１の高架タンクや給水設備の故障などといった不意の非常時には、マンション１の入居者に対して無償で配布されるようになっている。
【００３８】
在庫備蓄スペース１４には在庫管理手段６２が付設されており、該在庫備蓄スペース１４内に備蓄されている商品在庫の数量は該在庫管理手段６２により管理されている。
従って、非常時に各室（戸）へ飲料を配布する場合には、現在の在庫数及びマンション１の室（戸）数や各室（戸）の入居人数等に基づいて、在庫管理手段６２により各室（戸）への配布数量が算出され、配布される。
【００３９】
このように、災害発生時や非常時にマンション１の入居者に対して自動販売機５１・５２の商品である飲料を無償で配布することで、入居者の危機管理をサポートしたり、金銭的負担を軽減したり、利便性を向上させたりすることができる。
【００４０】
また、在庫６１の入居者への無償配布は、定期的に（所定期間毎に）所定量だけ行うようにもしている。これは、マンション１の管理組合３１やオーナーの入居者に対する顧客サービスであり、入居者の利便性を向上するとともに費用負担の軽減を図ることが可能となっている。
この場合も、前述のように、各室（戸）への配布数量が在庫管理手段６２により算出される。
【００４１】
さらに、在庫６１として備蓄されている飲料の賞味期限（品質保証期限）が迫ってきて、賞味期限までの期間が所定期間よりも短くなった場合には、その在庫商品を、マンション１の入居者に対して無償提供するようにもしている。
これにより、在庫６１を無駄に廃棄などすることなく有効利用することができるとともに、入居者の利便性の向上及び費用負担の軽減を図ることが可能となっている。
この場合も、前述のように、各室（戸）への配布数量が在庫管理手段６２により算出される。
【００４２】
本実施例における自動販売機５１・５２の商品は賞味期限を有する飲料であるため、入居者に対して無償提供することは、無駄な廃棄を無くするために特に有効であるし、災害等でライフラインが停止してしまった場合等の非常時には、入居者にとっては非常に有難く喜ばれるものである。
【００４３】
これらの入居者に対し無償提供する在庫６１の商品にかかる費用は、前述の自動販売機５１・５２の販売利益の一部を充当した管理組合３１の収益から拠出されるが、当該費用の額は在庫管理手段６２により自動的に算出され、前記管理会社３３の端末装置へ送信される。算出費用額を受け取った管理会社３３側からは、設置者側の算出手段５３に対して無償提供分の費用として還付する額を通知するとともに、設置者側への当該費用の支払いが行われる。
【００４４】
このように、入居者に対して無償提供する商品の費用を、自動販売機５１・５２の販売利益の一部を充当した管理組合３１の収益から拠出することで、入居者に費用負担をかけずに商品を提供しつつ、自動販売機１の設置者もその費用を負担する必要がなくなる。
【００４５】
また、自動販売機５１・５２の前面パネル５１ａ・５２ａのデザインは、設置されるマンション１や敷地２に応じて、適宜変更することが可能となっている。
例えば、図７に示すように、マンション１内の壁面が無模様である場合には、自動販売機５１・５２の前面パネル５１ａ・５２ａも、壁面と同じ色で無模様にデザインされている。
また、図８に示すように、マンション１内の壁面に模様が付されている場合には、自動販売機５１・５２の前面パネル５１ａ・５２ａも、壁面と同様の模様にデザインされている。
【００４６】
このように、自動販売機５１・５２の前面パネル５１ａ・５２ａのデザインを、設置されるマンション１や敷地２に応じて適宜変更可能とすることで、該自動販売機５１・５２の外観がマンション１や敷地２に自然に溶け込み、該マンション１や敷地２の景観を損うことがない。
【００４７】
また、自動販売機は、マンション１内に設置するだけでなく、図１の敷地２における設置スペース２６に設置される自動販売機５３のように、敷地２内の適宜箇所にも設置することが可能である。
この場合、敷地２の一部を占める設置スペース２６を、マンション１のデベロッパーの所有地とし、設置スペース２６に設置した自動販売機５３の運営を該デベロッパーが行うようにすることもできる。
つまり、マンション１の居住者やマンション１のオーナー等の所有地である敷地２に、設置者が自動販売機を設置させてもらい、当該設置者がその自動販売機の運営を行うのではなく、デベロッパーがマンション１を販売等する際に敷地２の一部を自己の所有地として残しておき、その残した敷地に自己が運営する自動販売機を設置するのである。
【００４８】
このように、デベロッパーが自己の所有スペースで自動販売機の運営を行うことで、該デベロッパーは、自己が取り扱ったマンション１等のビルについて自動販売機の運営業務をも行うことが可能となり、ビジネスチャンスを拡大することができる。
【００４９】
なお、自動販売機５１・５２の設置先は、居住者が入居するマンション１だけでなく、オフィスビル等の他のビルでも良く、例えば、オフィスビルの場合には入居している会社に対して無償配布等のサービスが施され、その会社が賃貸している室の床面積に応じた数量の商品が配布される。
【００５０】
前述の如く、飲料等の自動販売機をマンション１等のビルに設置する場合は、図９に示すように、商品である飲料のメーカー７１と、前述のマンション１（敷地２を含む）のような各設置先７４・７５・７６との間には、メーカ７１の窓口である取次ぎ店７２、及び各自動販売機の設置先７４・７５・７６の代理店７３が介在している。
そして、取次ぎ店７２が代理店７３から各設置先７４・７５・７６の仲介を受け、該取次ぎ店７２が複数の設置先７４・７５・７６とメーカー７１との間契約を、一括して行う。
【００５１】
図１０に示すように、前記メーカー７１、取次ぎ店７２、代理店７３、及び自動販売機の設置先７４・７５・７６は、インターネット等のネットワーク７７にて互いに接続された端末装置７１ａ・７２ａ・７３ａ・７４ａ・７５ａ・７６ａをそれぞれ有しており、前記代理店７３から取次ぎ店７２への自動販売機の設置先７４・７５・７６の仲介、及び取次ぎ店７２によるメーカー７１と自動販売機の設置先７４・７５・７６との間の契約は、各端末装置７１ａ・７２ａ・７３ａ・７４ａ・７５ａ・７６ａによりネットワーク７７を通じて行われる。
【００５２】
このように、取次ぎ店７２が、代理店７３から複数の自動販売機の設置先７４・７５・７６の仲介を受け、一括してメーカー７１と自動販売機の設置先７４・７５・７６との間の契約を行うようにすることで、メーカー７１及び取次ぎ店７２側は、自分で様々な自動販売機の設置先７４・７５・７６を見つけ出してくることが不要になり、各設置先７４・７５・７６は代理店７３に登録等しておけば、自動販売機の設置依頼が高確率で来ることが期待できる。また、メーカー７１と各設置先７４・７５・７６との間の契約手続き等が簡素化でき、迅速且つ確実な契約を結ぶことができる。
【００５３】
さらに、メーカー７１、取次ぎ店７２、代理店７３、及び自動販売機の設置先７４・７５・７６は、インターネット等のネットワーク７７にて互いに接続されており、代理店７３から取次ぎ店７２への自動販売機の設置先７４・７５・７６の仲介や、メーカー７１と各設置先７４・７５・７６との間の契約は、それぞれの端末装置７１ａ・７２ａ・７３ａ・７４ａ・７５ａ・７６ａによりネットワーク７７を通じて行われるので、契約の手続きをさらに確実かつスピーディーに行うことが可能となっている。
【００５４】
なお、取次ぎ店７２と自動販売機の設置先７４・７５・７６との間に介在する代理店は、図１１に示す一次代理店７３ａ及び二次代理店７３ｂのように、複数の代理店が存在してもよい。
【図面の簡単な説明】
【００５５】
【図１】本発明の自動販売機システムが適用されるマンション及びその敷地を示す平面図である。
【図２】本システムが具備する入力手段、算出手段及び出力手段を示すブロック図である。
【図３】入力手段による入力画面の一例を示す図である。
【図４】出力手段による出力画面の一例を示す図である。
【図５】本システムにおける自動販売機の利益の一部を管理費等の積立金へ充当する仕組みを示す図である。
【図６】本システムにおける在庫商品の居住者への無償配布の仕組みを示す図である。
【図７】マンションの壁面が無模様である場合の自動販売機の前面パネルを示す図である。
【図８】マンションの壁面に模様が付されている場合の自動販売機の前面パネルを示す図である。
【図９】メーカー、取次ぎ店、代理店、及び自動販売機の設置先の関係を示す図である。
【図１０】メーカー、取次ぎ店、代理店、及び自動販売機の設置先の各端末装置がネットワークにより接続されている状態を示す図である。
【図１１】代理店が複数段階にわたって介在している場合の、メーカー、取次ぎ店、代理店、及び自動販売機の設置先の関係を示す図である。
【符号の説明】
【００５６】
１  マンション
２  敷地
１１  ポーチ
１２  ロビー
１４  在庫備蓄スペース
２６  設置スペース
５１・５２・５３  自動販売機
６１  在庫
６２  在庫管理手段
１０１  入力手段
１０２  算出手段
１０３  出力手段
【図１】
2006031638.tif 000003
【図２】
2006031638.tif 000004
【図３】
2006031638.tif 000005
【図４】
2006031638.tif 000006
【図５】
2006031638.tif 000007
【図６】
2006031638.tif 000008
【図７】
2006031638.tif 000009
【図８】
2006031638.tif 000010
【図９】
2006031638.tif 000011
【図１０】
2006031638.tif 000012
【図１１】
2006031638.tif 000013